(57)【要約】【課題】表示中のデータを割付キーに割付け、再度該ボタンを押すことで割付けられたデータを再表示する。【解決手段】上記課題を解決するために、本発明によれば、処理を割付けるハードキーを持ち、データを記憶し表示する装置において、表示中のあらゆる形式のデータを画像データとして生成し記憶するステップと、前記記憶された特定の画像を表す為の情報即ちファイル名をキーに割付けるための割付けステップと、割付後、該割付けられたキーを押した時に前記登録された情報に基づく登録画面を表示する為の呼び出し表示ステップとを持つことを特徴とする入力方法及び表示方法。【選択図】        図２
2004157839.tif 000002
【特許請求の範囲】
【請求項１】
複数のデータを記憶し表示する機能を含む情報装置において表示中のデータを画像データとして生成し記憶するステップと、
前記記憶された特定の画像を表す為の情報をキーに割付けるための割付けステップと、
割付後、該割付けられたキーを押した時に前記登録された情報に基づき登録画面を表示する呼び出し表示ステップとを備える
ことを特徴とする画像情報の登録及び呼び出し表示方法。
【請求項２】
前記割り付けステップは
同一のキーに複数の画像データを割り付けるための割り付けテーブルを有し、
前記割付ステップが繰り返される毎にテーブルに追加更新するステップと、
前記呼び出し表示ステップにおいて割り付けキーの連続した押下回数と前記割付テーブルの内容に基づき画像データを呼び出し表示する
ことを特徴とする請求項１記載の画像情報の登録及び呼び出し表示方法。
【請求項３】
前記割り付けステップは
同一のキーに複数の画像データを割り付けるための割り付けテーブルを有し、
前記割付ステップが繰り返される毎にテーブルに追加更新するステップと、
前記呼び出し表示ステップにおいて移動又は増減を表すキーの押下と前記割付テーブルの内容に基づき画像データを呼び出し表示する
ことを特徴とする請求項１記載の画像情報の登録及び呼び出し表示方法。
【請求項４】
前記移動又は増減を表すキーは、十字キー又はカーソルキー又はズームキー又はジョグダイヤル又はジョグスイッチと兼用する手段を有する
ことを特長とする請求項３記載の画像情報の登録及び呼び出し表示方法。
【発明の詳細な説明】
【０００１】
【発明の属する技術分野】
本発明は、少なくとも複数のデータを記憶し表示する情報処理装置における、表示中のデータの簡単な保存登録とその再生方法に関する。
【０００２】
【従来の技術】
従来、パソコンで実行される類似な方法例として、画面のスクリーンコピー機能を用いて画面のイメージデータを作成し、このデータをユーザが自分で管理するファイルの任意のディレクトリーに分類保管し、これを再生するときは、このディレクトリをたどって所望の画像ファイルを探し出し再生するという方法がある。
【０００３】
また、Ｗｅｂブラウザなどで表示中のデータに該当するＵＲＬをブックマーク保存し後日このブックマークから同Ｗｅｂページにアクセスする方法がある。
【０００４】
【発明が解決しようとする課題】
しかしながら、前者の例ではスクリーンコピー、ファイルの作成、セーブなど多くの作業が発生する、また再生においてもディレクトリーの探索という作業が発生し登録にも再生にも大変な手間がかかるばかりか、せっかく作成した画像ファイルを何処にしまったか忘れてしまうなど、非常に使い勝手が悪く操作時間がかかるという問題がある。
【０００５】
また、後者のＵＲＬのブックマークで保存する方法においては、やはりブックマークというリストの検索を行う必要があるばかりかアプリケーションソフトであるｗｅｂブラウザを起動する必要がある為、再生に非常に時間がかかり気軽な情報の再生には不向きであった。
【０００６】
【課題を解決するための手段】
本発明は係る問題点を鑑みてなされたものであり表示中のあらゆる形式のデータを画像データとして生成し記憶するステップと、前記記憶された特定の画像を表す為の情報即ちファイル名をキーに割付けるための割付けステップと、割付後、該割付けられたキーを押した時に前記登録された情報に基づく登録画面を表示する為の呼び出し表示ステップとを持つことにより上記課題を解決した。
【０００７】
【発明の実施の形態】
以下、図面を用いて本発明の１実施形態を詳細に説明する。
【０００８】
（実施例１）
図１は、本実施形態に係る情報処理装置の１実施形態のハードウェア構成を示すブロック図である。
【０００９】
同図において、１は、画像を表示する画像表示手段である。２は、１で表示された画像に対する指示を入力する指示手段である。
【００１０】
３は、入出力Ｉ／Ｆ部であり、指示ステップ２のデータ入力を受け、画像表示ステップ１に出力する。
【００１１】
４は、ＣＰＵであり、各種処理のための演算、論理判断等を行ない、バス７に接続された各構成要素を制御する。
【００１２】
５は、プログラムメモリであり、フローチャートにつき後述する処理手順を含むＣＰＵ４による制御のためのプログラムを格納するメモリである。プログラムメモリ５は、ＲＯＭであってもよいし、外部記憶装置などからプログラムがロードされるＲＡＭであってもよい。
【００１３】
６は、データメモリであり、各種処理で生じたデータを格納する。データメモリ６は、例えばＲＡＭとする。
【００１４】
７は、ファイルＤＢであり、データメモリ上に、入力された複数のファイルデータが格納されている。
【００１５】
８は、リストＤＢであり、データメモリ上に、７のファイルの再生順番リストデータが格納されている。
【００１６】
９は、ＣＰＵ４の制御の対象とする構成要素を指示するアドレス信号、各構成要素を制御するためのコントロール信号、各構成機器相互間でやりとりされるデータの転送を行なうためのバスである。
【００１７】
図２は、本実施形態に係るシステム全体の流れを示す図である。
【００１８】
同図に示すように、システムが起動されると、ステップｓ２０１において、表示ステップが起動され画面が表示される。
【００１９】
次に、ステップｓ２０２において、イベント待ちをして、イベントが割付けキー押下である場合にはステップｓ２０５に進む。
【００２０】
Ｓ２０５ではキーが長押しか否かの判定を行うが、本実施例ではキーの押下げ時間が０．７秒以上続いた時長押しと判定する。
【００２１】
ステップｓ２０５においてキーの押下が長押しである場合には、
ステップｓ２０４に進み、画面登録ステップを起動し、現在表示中の画面データを割付けキーに割付けて登録する。続いてＳ２０８においてキーが離されたか否かの判定を行いキーが離されるとこのステップを終了しＳ２０１に戻る。
【００２２】
ステップｓ２０５においてキーの押下が長押しでない場合には、ステップｓ２０６に進み、呼出し表示ステップを起動し、割付けキーに割付けられた既登録画像を表示する。
【００２３】
ステップｓ２０２において、イベントがその他のイベントだった場合には、ステップｓ２０３に進みその他の処理を起動する。
【００２４】
ステップｓ２０２において、イベントが電源ｏｆｆだった場合にはステップｓ２０７に進み、システム終了ステップを起動しシステムを終了する。
【００２５】
図３は、本実施形態に係る画面登録ステップの流れを示す図である。
【００２６】
本実施例ではイメージファイルはＪｐｇ圧縮された画像で保存する。従って現在画面に表示されている画像がＪｐｇ以外の画像であればイメージファイル即ちＪｐｇファイル形式に変換し保存する方法をとる。
【００２７】
まず同図に示すように、画面登録ステップが起動されると、ステップｓ３０１において、現在表示中のデータがイメージファイルでない場合には、ステップｓ３０２に進み、画面コピー等により表示データのイメージファイルを生成する。
【００２８】
生成されたＪｐｇファイルには元データに関連するユニークなファイル名が自動生成され、拡張子にはＪｐｇファイルを表す．ｊｐｇが付与される。
【００２９】
ステップｓ３０１において、現在表示中のデータがイメージファイルであった場合には、ステップｓ３０３に進み、登録確認ダイアログを表示する。
【００３０】
ステップｓ３０４において、登録確認ダイアログに対するユーザの入力がＯＫであった場合には、ステップｓ３０５に進み、割付テーブルを取得し、テーブル内の該当キーへの割付けデータの空きをチェックする。
【００３１】
空きがあるか否かの判定は割り付けテーブルの該当する割付キーに対応するリストの最後がＮＵＬか否かをもって判定する。
【００３２】
次にステップｓ３０６で空きがあった場合には、ステップｓエラー！  ブックマークが定義されていません。１０に進みリスト内データを１データ分古い方へシフトしリストの現在部分にイメージファイル名を格納し、処理を終了する。
【００３３】
次にステップｓ３０６で空きがなかった場合には、ステップｓエラー！  ブックマークが定義されていません。０７に進み、警告メッセージを出す。
【００３４】
ステップｓ３０８において、警告メッセージに対するユーザの入力がＯＫであった場合には、ステップｓエラー！  ブックマークが定義されていません。１０に進みイメージファイルを割付テーブルへ格納し、処理を終了する。この時リストの最後にあったファイル名は溢れるため消滅する。
【００３５】
ステップｓ３０８において、ユーザの入力がＯＫでない場合には、以降の処理を行なわずに処理を終了する。
【００３６】
図４は、本実施形態に係る呼出し表示ステップの流れを示す図である。
【００３７】
同図に示すように、呼び出し表示ステップが起動されると、ステップｓ４０１において、キー検知ステップが起動され、どの割り付けキーが押されたかを検知する。
【００３８】
次に、ステップｓ４０２において、割付けキーリストが参照され、処理対象を該当するキーのキーリスト先頭にセットする。
【００３９】
次に、ステップｓ４０３において、リストが終了していない場合には、ステップｓ４０４において、該当するキーリストのイメージファイルを表示する。
【００４０】
次に、ステップｓ４０５において、入力されたイベントが同じ割り付けキーの押下であった場合にはステップｓ４０５に進み、リストを進めて、次にステップｓ４０３に進み、リストが終了していない場合にはステップｓ４０４に進み、該当するイメージデータを表示する。
【００４１】
ステップｓ４０３においてリストが終了している場合には、ステップｓ４０２に進み、再びリストの先頭に戻ることを繰り返す。
【００４２】
次に、ステップｓ４０５において、入力されたイベントがその他キーの押下であった場合には、以降の処理を行なわずに処理を終了する。
【００４３】
図５は、本実施形態において参照されるテーブルの例を示す図である。
【００４４】
５０１は、割付キーと登録画像を対応付けて格納するテーブルであり、各割付キーごとに、現在を０として、過去に溯って登録画像のリンクが格納されている。
【００４５】
５０２〜５０４は、５０１のテーブルにおける、割付けキーＡに割付けられた登録画像のイメージである。
【００４６】
図６は、本実施形態における装置の一例である。
【００４７】
６０１は、装置本体であり、６０２はデイスプレイである。
【００４８】
６０３〜６０６はそれぞれ操作キーである。
【００４９】
６０３：カーソルキー
６０４：割付キー
６０５：その他のキー
６０６：電源キー
以下に、具体的な動作を、上記フローを用いながら流れを追って説明する。
【００５０】
図１のようなハードウェア構成と、図２のようなシステム構成を持つ画像表示装置において、ｓ２０１において表示ステップが起動し、何らかのデータが表示された画面表示状態にあるとする。ここでは、例として、図６にあるような装置の形態をとって説明する。
【００５１】
例えば、メールアプリにより、図５の５０２のようなメールデータが表示されていたとする。この時、ユーザが、図６の６０４にある割付キーＡを長押しすると、ｓ２０４において画面登録ステップが起動し、ｓ３０１において、現在表示中のデータがイメージファイルではないので、ｓ３０２に進み、画面コピーして現在表示中のメールデータのイメージファイルを作成する。
【００５２】
次に、ｓ３０３で登録確認ダイアログを表示し、ｓ３０４でユーザがＯＫを選択すると、ｓ３０５で、図５にあるような割付キーと登録データを対応づけたテーブルが取得される。ｓ３０６において、割付キーの空きがある場合には、ｓ３１０へ進み、イメージファイルへのリンクをキー割付けリストへ格納する。
【００５３】
同様にして、図５にあるような５０２〜５０５のデータを、それぞれの表示中に割付けキーＡを長押しして登録する。図５において、５０１の割付テーブルの割付キーＡのデータと、５０２〜５０５は対応している。
【００５４】
その後、別の操作で別の画面を表示中に、ユーザが、割付けキーＡを押下（短押し）すると、図５にあるような、割付キーＡに割付けて、既に登録されたイメージデータが、新しいものから（この場合５０２から順に）表示される。
【００５５】
ユーザが割付けキーＡを押下すると、ｓ２０６において呼出し表示ステップが起動し、ｓ４０１のキー検知ステップにより、割付けキーＡが押下されたことが検知される。その結果、処理対象がｓ４０２で割付キーテーブルの、割付けキーＡに格納されたイメージデータリストの先頭（すなわち最新のデータのリンク）にセットされる。
【００５６】
この場合まず、ｓ４０４で、図５の割付テーブルの割付キーＡの０に格納されているイメージデータファイル名ａ０００１．ｊｐｇを参照して、５０２の画像が表示される。
【００５７】
ｓ４０５において、割付キーＡが押され続ける限り、同様にして、図５の５０２〜５０５の画像が表示される。この場合、ｓ４０５においてユーザが他のキーを押下する、または別の操作指示入力を行なう等、その他の入力が行なわれるまで、イメージデータの表示を続けるものとする。ここではキーが押される度に履歴を溯って表示し、ラストまで行った場合には再び先頭に戻ることを繰り返すものとする。
【００５８】
以上説明したように、本実施例を施すことによって、表示中のデータを割付キーに簡単に登録し、再度該キーを押下することで登録データを表示する、さらに、履歴を溯って表示することができ、例えば、外出の際に、行き先の地図、案内、時刻表など交通機関の情報、関連する資料・画像データ、など複数のアプリケーションにまたがるデータをまとめて同じ割付キーに割付け登録し、一度に呼出し表示する、といった使い方が可能になる。
【００５９】
（実施例２）
第一の実施例においては同一の割り付けキー、例えば割り付けキーＡを繰り返し押す事で過去に割り付けられた画面のイメージデータを準じ遡って見ることが出来る構成としたが、デジタルカメラや携帯情報端末、携帯電話などで用いられる、十字キー、ズームキー、ジョグダイヤル、カーソルキーなど何らかの移動や加減を意味するキーと兼用しても良い。
【００６０】
本実施例では第６図装置例に示したカーソルキー６０３の↑、↓操作によって履歴を手繰る方法を記す。
【００６１】
実施例２は実施例１に対し呼び出し表示ステップが異なる以外は全て実施例１と同じである為、以下表示呼び出しステップに関し詳細を記す。
【００６２】
図エラー！  ブックマークが定義されていません。は、本実施形態に係る呼出し表示ステップの流れを示す図である。
【００６３】
同図に示すように、呼び出し表示ステップが起動されると、ステップｓエラー！ブックマークが定義されていません。０１において、キー検知ステップが起動され、どの割り付けキーが押されたかを検知する。
【００６４】
次に、ステップｓエラー！  ブックマークが定義されていません。０２において、割付けキーリストが参照され、処理対象を該当するキーのキーリスト先頭にセットする。
【００６５】
次に、ステップｓエラー！  ブックマークが定義されていません。０３において、リストにファイルが割り付けられているか否かの判定を行う、本実施例においては空きがあるか否かの判定は割付けテーブルの該当する割付キーの先頭がＮＵＬか否かをもって判定する。
【００６６】
ステップＳ７０３においてファイルが割り付けられていないと判定した場合は処理を行わず呼び出し表示ステップを終了する。また、ステップＳ７０３においてファイルが割り付けられていると判定した場合はステップｓエラー！  ブックマークが定義されていません。０４に進み、該当するキーリストのイメージファイルを表示する。
【００６７】
次に、ステップｓエラー！  ブックマークが定義されていません。０５において、次のイベント発生を待つ。ここで何らかのイベントが発生すると、イベントに従って分岐する。
【００６８】
まずイベントがカーソルキーの↓操作であった場合、ステップＳ７０６でキーに割り付けられたリストが終了していたら処理を行わずステップＳ７０４に戻る、ステップＳ７０６で終了していなければステップＳ７０７に進み、リストを一つ進めてステップＳ７０４に進み当該データを呼び出し表示する。
【００６９】
一方ステップＳ７０５で分岐条件がカーソルキーの↑操作だった場合は、Ｓ７０８に進んでキーに割り付けられたリストが先頭であった場合は、処理を行わずステップＳ７０４へ戻る。
【００７０】
リストが先頭でなかった場合はステップｓエラー！  ブックマークが定義されていません。０９に進み、リストを一つ戻してステップｓエラー！  ブックマークが定義されていません。０４に戻り当該データを呼び出し表示する。
【００７１】
また、ステップＳ７０５で発生したイベントがカーソルキーの↑、↓操作以外であった場合はこの呼び出し表示ステップを抜け出す。
【００７２】
以上の説明からわかるように、本実施例２によれば特定の割付キーに割り付けられた過去のイメージデータを遡ったり逆に最新の側に戻る、といった自由な検索が可能になる。また、履歴を前後に移動表示可能とする操作が、機器で他の目的に使われるキー、即ち十字キー、ズームキー、ジョグダイアルなどと兼用することを可能とした為、感覚的に分かり易い操作環境になるという、きわめて有用な効果を、特別なハードウエアを設けることなくソフトウエアだけで安価に実現出来るという優れた効果もある。
【００７３】
【発明の効果】
以上説明したように、本発明によれば、アプリケーションやデータビューワで実行中の画面をイメージデータとして保存するとともに、保存したイメージデータを特定のキーに割り付ける事により、アプリケーションやデータの種類に関わらず割付キーを押すという簡単な操作で高速に目的の情報を得ることが出来る。
【００７４】
さらには、上記特定のキーには複数のデータを割り付け可能であり、呼び出し時に簡単で分かり易いキー操作によって大量のイメージデータから目的のイメージファイルを探し出すことが可能となる効果がある。
【００７５】
また、更には小型の情報機器のように備えられるキーやスイッチの数に制限があるような機器において、キーの数をいたずらに増加することなく優れた操作性を実現出来るという効果もある。
【図面の簡単な説明】
【図１】本実施形態に係る情報処理装置の１実施形態のハードウェア構成を示すブロック図である。
【図２】本実施形態に係るシステム全体の流れを示す図である。
【図３】本実施形態に係る画面登録ステップの流れを示す図である。
【図４】本実施形態に係る呼出し表示ステップの流れを示す図である。
【図５】本実施形態において利用されるキー割付テーブルの例を示す図である。
【図６】本実施形態における装置の一例を示す図である。
【図７】本実施形態に係る呼出し表示ステップの流れの第２の実施例を示す図である。
【符号の説明】
１  画像表示手段
２  指示手段
３  入出力Ｉ／Ｆ部
４  ＣＰＵ
５  プログラムメモリ
６  データメモリ
７  ファイルＤＢ
８  履歴ＤＢ
９  バス
【図１】
2004157839.tif 000003
【図２】
2004157839.tif 000004
【図３】
2004157839.tif 000005
【図４】
2004157839.tif 000006
【図５】
2004157839.tif 000007
【図６】
2004157839.tif 000008
【図７】
2004157839.tif 000009